(57)【要約】【課題】針状・トゲ状とした場合、コロナ放電により帯電放電極板の放電部の先端が丸くなり放電電流が少なくなることで集塵性能が低下するため、メンテナンスが必要となるが、帯電放電極板の交換ができないため、イオン化部あるいは電気集塵装置ごと交換しなければならないという課題があった。【解決手段】イオン化部のほぼ両端部に帯電放電極板１１Ａと直交して設けた給電バー６と、この給電バー６には帯電接地極板１０とを平行させて設けた給電バー固定溝１７を備え、電極板固定端部１２を給電バー固定溝１７に挿入して折り曲げることで保持できることを特徴とする。給電バー固定溝１７に電極板固定端部１２を挿入し、給電バー固定溝１７の端部を支点として折り曲げることで帯電接地極板１０との間隔を保持しつつ帯電放電極板１１Ａを給電バー６に固定できる。【選択図】図９
2009034599.tif 000002
【特許請求の範囲】
【請求項１】
帯電接地極板と帯電放電極板との間でコロナ放電を発生させて空気中の塵埃等に帯電させるイオン化部と、この下流側に設けた前記イオン化部で帯電された塵埃等を捕集する集塵部からなる電気集塵装置において、前記イオン化部のほぼ両端部に前記帯電放電極板と直交して設けた給電バーと、この給電バーには前記帯電接地極板と平行させて設けた給電バー固定溝を備え、前記帯電放電極板の端部を前記給電バー固定溝に挿入して折り曲げることで保持できることを特徴とした電気集塵装置。
【請求項２】
イオン化部の下端に帯電放電極板と直交して設けた支持シャフトと、この支持シャフトには前記帯電接地極板と平行させて設けた引っ掛け部を備え、前記帯電放電極板の引っ掛かり溝を支持シャフトの引っ掛け部に引っ掛けて固定することを特徴とした請求項１記載の電気集塵装置。
【請求項３】
給電バーの給電バー固定溝の開口側に、電極板固定端部の折り曲げ方向と反対方向に立ち上げた立ち上げ部を設けたことを特徴とした請求項１または２記載の電気集塵装置。
【請求項４】
電極板固定端部の折り曲げ位置に欠き込み部を設けたことを特徴とした請求項１〜３いずれかに記載の電気集塵装置。
【請求項５】
電極板固定端部の折り曲げ位置に設けた欠き込み部を丸または半円形状とし、幅方向の端部あるいは幅方向の中央部に設けたことを特徴とした請求項４記載の電気集塵装置。
【請求項６】
イオン化部の中央部付近に帯電放電極板と直交させる形で中間保持バーを設け、この中間保持バーには前記帯電放電極板を挿入することで保持できる中間保持バー固定溝を設けたことを特徴とした請求項１〜５いずれかに記載の電気集塵装置。
【請求項７】
帯電放電極板の長手方向に補強ビードを設けたことを特徴とした請求項１〜６いずれかに記載の電気集塵装置。
【請求項８】
補強ビードを断面Ｓ字形状あるいは絞り方向の異なる補強ビードとしたことを特徴とした請求項７記載の電気集塵装置。
【請求項９】
帯電放電極板は、その周囲および内部の辺にトゲ状の放電極部を設けたことを特徴とした請求項１〜８いずれかに記載の電気集装置。
【請求項１０】
帯電放電極板の放電極部形状を刃物形状としたことを特徴とした請求項１〜８いずれかに記載の電気集装置。
【請求項１１】
帯電放電極板に設けたトゲ状の放電極部を内側のみに設けたことを特徴とした請求項１〜請求項８記載の電気集装置。
【発明の詳細な説明】
【技術分野】
【０００１】
本発明は、空気中の浮遊粒子である塵埃などを捕集する電気集塵装置に関するものである。
【背景技術】
【０００２】
現在、家庭用や業務用では空気清浄機や分煙機器、産業用ではトンネル換気用集塵装置やオイルミスト除去装置として、大気中の浮遊物（粉塵やオイルミスト・煙など）に電荷を与えることで、居室内やトンネル内・工場内で発生する大気中の浮遊物（粉塵やオイルミスト・煙など）を捕集する電気集塵装置が採用されている。
【０００３】
そして、かかる用途の電気集塵装置のイオン化部にあっては、イオン化部の放電極として放電線や複数の突起を有する帯電放電極板が用いられてきた。しかし、長期間使用した場合、放電線ではコロナ放電により断線することがあり、また突起を有する針状やトゲ状の放電極では先端が丸くなり徐々に集塵性能が低下していく。そのため、寿命の長さは異なるがいずれにしてもメンテナンスが必要であった。このような状況の中において、放電極として特に切れやすく寿命の短い放電線方式のもので、容易に交換できる方法が多く開示されているが、この場合、容易に交換できるけれどもメンテナンス頻度が多いという課題が残っていた。
【特許文献１】実開平１−００５６５１号公報
【特許文献２】実開平１−００５６５２号公報
【特許文献３】特開平８−０３８９３８号公報
【特許文献４】特許第３２９３３４２号公報
【発明の開示】
【発明が解決しようとする課題】
【０００４】
イオン化部の放電極を針状・トゲ状・線状（放電線）にすることが一般的だが、線状（放電線）にすると切れやすく、また針状・トゲ状とした場合ではコロナ放電により極板の先端が丸くなり放電電流が少なくなることで集塵性能が低下してしまう。
【０００５】
この場合、放電極の交換ができないため、イオン化部あるいは電気集塵装置ごと交換しなければならないという課題があった。
【０００６】
そこで本発明は、帯電放電極板の放電部がコロナ放電により、極板の先端が丸くなり放電電流が少なくなった場合でも、簡単に帯電放電極板を交換できる電気集塵装置を提供することを目的とする。
【課題を解決するための手段】
【０００７】
前記課題を解決するために本発明は、帯電接地極板と帯電放電極板との間でコロナ放電を発生させて空気中の塵埃等に帯電させるイオン化部と、この下流側に設けた前記イオン化部で帯電された塵埃等を捕集する集塵部からなる電気集塵装置において、前記イオン化部のほぼ両端部に前記帯電放電極板と直交して設けた給電バーと、この給電バーには前記帯電接地極板とを平行させて設けた給電バー固定溝を備え、前記電極板固定端部を前記給電バー固定溝に挿入して折り曲げることで保持できることを特徴とするものである。
【０００８】
この手段により、帯電放電極板の放電部がコロナ放電により、極板の先端が丸くなり放電電流が少なくなった場合でも、折り曲げだけの簡単な固定のため容易に帯電放電極板が交換できるだけでなく、組立工数の少ない電気集塵装置が得られる。
【０００９】
また、他の手段は、イオン化部の下端に帯電放電極板と直交して設けた支持シャフトと、この支持シャフトには前記帯電接地極板と平行させて設けた引っ掛け部を備え、前記帯電放電極板の引っ掛かり溝を支持シャフトの引っ掛け部に引っ掛けて固定することを特徴とするものである。
【００１０】
この手段により、帯電放電極板を交換する際、帯電放電極板の片側を引っ掛け構造とすることで、電気集塵装置自身を横あるいは逆さまにすることなく、簡単に帯電放電極板を交換できる電気集塵装置が得られる。
また、他の手段は、給電バーの給電バー固定溝の開口側に、電極板固定端部の折り曲げ方向と反対方向に立ち上げた立ち上げ部を設けたことを特徴とするものである。
【００１１】
この手段により、給電バーの給電バー固定溝の開口側に、電極板固定端部の折り曲げ方向と反対方向に立ち上げた立ち上げ部を設けることにより、折り曲げた電極板固定端部が立ち上げ部に当たることで帯電放電極板の給電バー固定溝方向への外れを防ぐことのできる電気集塵装置が得られる。
【００１２】
また、他の手段は、電極板固定端部の折り曲げ位置に欠き込み部を設けたことを特徴とするものである。
【００１３】
この手段により、給電バー固定溝に電極板固定端部を挿入して折り曲げる際、通常給電バー固定溝が支点となって折り曲がるが、電極板固定端部の折り曲げ位置に欠き込み部を入れ、折り曲がる弱い部分を作ることで任意の場所で折り曲げることができるため、帯電放電極板のガタつきを防ぐことができる電気集塵装置が得られる。
【００１４】
また、他の手段は、電極板固定端部の折り曲げ位置に設けた欠き込み部を丸または半円形状とし、幅方向の端部あるいは幅方向の中央部に設けたことを特徴とするものである。
【００１５】
この手段により、多少の通常給電バー固定溝の支点と折り曲がり位置がずれた場合、丸または半円形状の範囲内で折り曲がり位置を調整することができるため、部品のばらつきによるガタツキのない電気集塵装置が得られる。
【００１６】
また、他の手段は、イオン化部の中央部付近に帯電放電極板と直交させる形で中間保持バーを設け、この中間保持バーには前記帯電放電極板を挿入することで保持できる中間保持バー固定溝を設けたことを特徴とするものである。
【００１７】
この手段により、帯電放電極板が長くて細い場合あるいは処理風速が速い場合でも、帯電放電極板の中央部付近を中間保持バーで保持するため、極板間隔が維持でき安定した集塵性能を得ることのできる電気集塵装置が得られる。
【００１８】
また、他の手段は、帯電放電極板の長手方向に補強ビードを設けたことを特徴としたものである。
【００１９】
この手段により、放電極板に補強ビードを設けることで、質量を増やすことなく処理風速による放電極板の振動・変形を抑えて安定的なコロナ放電を確保し、集塵性能の低下を防ぐことのできる電気集塵装置が得られる。
【００２０】
また、他の手段は、補強ビードを断面Ｓ字形状あるいは絞り方向の異なる補強ビードとしたことを特徴としたものである。
【００２１】
この手段により、補強ビードを断面Ｓ字形状あるいは絞り方向に異なる補強ビードとすることにより、お互いの反り方向が打ち消しあって反りを最小限にすることができる電気集塵装置が得られる。
【００２２】
また、帯電放電極板は、その周囲および内部の辺にトゲ状の放電極部を設けたことを特徴としたものである。
【００２３】
この手段により、劣化しやすい放電極部であっても折り曲げだけの簡単な固定のため容易に帯電放電極板が交換できる電気集塵装置が得られる。
【００２４】
また、他の手段は、帯電放電極板の極部形状を刃物形状としたことを特徴としたものである。
【００２５】
この手段により、帯電放電極板の放電極部形状を刃物状とすることで、放電線と同じように線状にコロナ放電させることができるため、集塵性能を向上させることができ、また切れることによるメンテナンスを減らすことができる電気集塵装置が得られる。
【００２６】
また、他の手段は、帯電放電極板に設けたトゲ状の放電極部を内側のみに設けたことを特徴としたものである。
【００２７】
この手段により、トゲ状の放電極部を帯電性放電極板の外周ではなく内側に設けることで、トゲが当たることによる帯電性接地極板への損傷や作業者の怪我を防ぐことができる電気集塵装置が得られる。
【発明の効果】
【００２８】
本発明の電気集塵装置によれば、帯電接地極板と帯電放電極板との間でコロナ放電を発生させて空気中の塵埃等に帯電させるイオン化部と、この下流側に設けた前記イオン化部で帯電された塵埃等を捕集する集塵部からなる電気集塵装置において、前記イオン化部のほぼ両端部に前記帯電放電極板と直交して設けた給電バーと、この給電バーには前記帯電接地極板とを平行させて設けた給電バー固定溝を備え、前記電極板固定端部を前記給電バー固定溝に挿入して折り曲げることで保持する構成とすることにより、帯電放電極板の放電部がコロナ放電により、極板の先端が丸くなり放電電流が少なくなった場合でも、折り曲げだけの簡単な固定のため容易に帯電放電極板が交換できるだけでなく、組立工数の少ない電気集塵装置を提供することができる。
【００２９】
また、イオン化部の下端に帯電放電極板と直交して設けた支持シャフトと、この支持シャフトには前記帯電接地極板と平行させて設けた引っ掛け部を備え、前記帯電放電極板の引っ掛かり溝を支持シャフトの引っ掛け部に引っ掛けて固定する構成とすることにより、帯電放電極板を交換する際、帯電放電極板の片側を引っ掛け構造とすることで、電気集塵装置自身を横あるいは逆さまにすることなく、簡単に帯電放電極板を交換できる電気集塵装置を提供することができる。
【００３０】
また、給電バーの給電バー固定溝の開口側に、電極板固定端部の折り曲げ方向と反対方向に立ち上げた立ち上げ部を設けた構成とすることにより、給電バーの給電バー固定溝の開口側に、電極板固定端部の折り曲げ方向と反対方向に立ち上げた立ち上げ部を設けることにより、折り曲げた電極板固定端部が立ち上げ部に当たることで帯電放電極板の給電バー固定溝方向への外れを防ぐことのできる電気集塵装置を提供することができる。
【００３１】
また、電極板固定端部の折り曲げ位置に欠き込み部を設けた構成とすることにより、給電バー固定溝に電極板固定端部を挿入して折り曲げる際、通常給電バー固定溝が支点となって折り曲がるが、電極板固定端部の折り曲げ位置に欠き込み部を入れることで、任意の場所で折り曲げることができるため、帯電放電極板のガタつきを防ぐことができる電気集塵装置を提供することができる。
【００３２】
また、電極板固定端部の折り曲げ位置に設けた欠き込み部を丸または半円形状とし、幅方向の端部あるいは幅方向の中央部に設けた構成とすることにより、多少の通常給電バー固定溝の支点と折り曲がり位置がずれた場合、丸または半円形状の範囲内で折り曲がり位置を調整することができるため、部品のばらつきによるガタツキのない電気集塵装置を提供することができる。
【００３３】
また、イオン化部の中央部付近に帯電放電極板と直交させる形で中間保持バーを設け、この中間保持バーには前記帯電放電極板を挿入することで保持できる中間保持バー固定溝を設けた構成とすることにより、帯電放電極板が長くて細い場合あるいは処理風速が速い場合でも、帯電放電極板の中央部付近を中間保持バーで保持するため、極板間隔が維持でき安定した集塵性能を得ることのできる電気集塵装置を提供することができる。
【００３４】
また、帯電放電極板の長手方向に補強ビードを設けた構成とすることにより、放電極板に補強ビードを設けることで、質量を増やすことなく処理風速による放電極板の振動・変形を抑えて安定的なコロナ放電を確保し、集塵性能の低下を防ぐことのできる電気集塵装置を提供することができる。
【００３５】
また、補強ビードを断面Ｓ字形状あるいは絞り方向の異なる補強ビードとした構成とすることにより、補強ビードを断面Ｓ字形状あるいは絞り方向に異なる補強ビードとすることにより、お互いの反り方向が打ち消しあって反りを最小限にすることができる電気集塵装置を提供することができる。
【００３６】
また、帯電放電極板の放電極部形状を刃物形状とした構成とすることにより、帯電放電極板の放電極部形状を刃物状とすることで、放電線と同じように線状にコロナ放電させることができるため、集塵性能を向上させることができ、また切れることによるメンテナンスを減らすことのできる電気集塵装置を提供することができる。
【００３７】
また、帯電放電極板に設けたトゲ状の放電極部を内側のみに設けた構成とすることにより、トゲ状の放電極部を帯電性放電極板の外周ではなく内側に設けることで、トゲが当たることによる帯電性接地極板への損傷や作業者の怪我を防ぐことのできる電気集塵装置を提供することができる。
【発明を実施するための最良の形態】
【００３８】
請求項１記載の発明は、帯電接地極板と帯電放電極板との間でコロナ放電を発生させて空気中の塵埃等に帯電させるイオン化部と、この下流側に設けたイオン化部で帯電された塵埃等を捕集する集塵部からなる電気集塵装置において、イオン化部のほぼ両端部に帯電放電極板と直交して設けた給電バーと、この給電バーには帯電接地極板とを平行させて設けた給電バー固定溝を備え、電極板固定端部を給電バー固定溝に挿入して折り曲げることで保持できることを特徴とした電気集塵装置であって、給電バー固定溝に電極板固定端部を挿入し、給電バー固定溝の端部を支点として折り曲げることで帯電接地極板との間隔を保持しつつ帯電放電極板を給電バーに固定できる作用を有する。
【００３９】
また、請求項２記載の発明は、イオン化部の下端に帯電放電極板と直交して設けた支持シャフトと、この支持シャフトには前記帯電接地極板と平行させて設けた引っ掛け部を備え、前記帯電放電極板の引っ掛かり溝を支持シャフトの引っ掛け部に引っ掛けて固定する構成としたことを特徴とした電気集塵装置であって、帯電放電極板を交換する際、一方の給電バーの引っ掛かり部に帯電放電極板の引っ掛け部を引っ掛け、その後もう一方の給電バーの給電バー固定溝に電極板固定端部を挿入し、給電バー固定溝の端部を支点として折り曲げることで帯電接地極板との間隔を保持しつつ帯電放電極板を給電バーに固定できる作用を有する。
【００４０】
また、請求項３記載の発明は、給電バーの給電バー固定溝の開口側に、電極板固定端部の折り曲げ方向と反対方向に立ち上げた立ち上げ部を設けたことを特徴とした電気集塵装置であって、給電バー固定溝に電極板固定端部を挿入し、給電バー固定溝の端部を支点として折り曲げるが、この折り曲げた電極板固定端部が給電バーの立ち上げ部が当たることで給電バー固定溝の開口側方向に外れることを防ぐ作用を有する。
【００４１】
また、請求項４記載の発明は、電極板固定端部の折り曲げ位置に欠き込み部を設けたことを特徴とした電気集塵装置であって、電極板固定端部の折り曲げ位置に欠き込み部をいれることで、給電バー固定溝に電極板固定端部を挿入して折り曲げる際、通常給電バー固定溝が支点となって折り曲がるが、電極板固定端部の折り曲げ位置に欠き込み部を入れ、折り曲がる弱い部分を作ることで任意の場所で折り曲げることができる作用を有する。
【００４２】
また、請求項５記載の発明は、電極板固定端部の折り曲げ位置に設けた欠き込み部を丸または半円形状とし、幅方向の端部あるいは幅方向の中央部に設けたことを特徴とした電気集塵装置であって、部品の公差やバラつきによって多少給電バー固定溝の支点と折り曲がり位置がずれた場合でも、丸または半円形状の範囲内で折り曲がり位置を調整できる作用を有する。
【００４３】
また、請求項６記載の発明は、イオン化部の中央部付近に帯電放電極板と直交させる形で中間保持バーを設け、この中間保持バーには前記帯電放電極板を挿入することで保持できる中間保持バー固定溝を設けたことを特徴とした電気集塵装置であって、帯電放電極板を中間保持バーの中間保持バー固定溝に挿入することで、帯電放電極板の中間付近を保持できるため風速や振動などによる横ブレや位置ずれを抑える作用を有する。
【００４４】
また、請求項７記載の発明は、帯電放電極板の長手方向に補強ビードを設けたことを特徴とした電気集塵装置であって、放電極板に補強ビードを設けることで、質量を増やすことなく処理風速による放電極板の長手方向の振動・変形を抑える作用を有する。
【００４５】
また、請求項８記載の発明は、補強ビードを断面Ｓ字形状あるいは絞り方向の異なる補強ビードとしたことを特徴とした電気集塵装置であって、補強ビードを片面だけでなく双方向に設けることで、お互いの反り方向を打ち消しあって反りを最小限にできる作用を有する。
【００４６】
また、請求項９記載の発明は、帯電放電極板は、その周囲および内部の辺にトゲ状の放電極部を設けたことを特徴としたものであり、劣化しやすい放電極部であっても折り曲げだけの簡単な固定のため容易に帯電放電極板が交換できる電気集塵装置が得られる。
【００４７】
また、請求項１０記載の発明は、帯電放電極板の放電極部形状を刃物形状としたことを特徴とした電気集塵装置であって、帯電放電極板形状を刃物状とすることで先端を放電線のように細くできるため、放電線と同様の線状にコロナ放電する作用を有する。
【００４８】
また、請求項１１記載の発明は、帯電放電極板に設けたトゲ状の放電極部を内側のみに設けたことを特徴とした手乾燥装置であって、トゲ状の放電極部を帯電性放電極板の外周ではなく内側に設けることで、帯電性放電極板を交換する際、トゲが当たることによる帯電性接地極板への損傷や作業者の怪我を防ぐ作用を有する。
【００４９】
以下、本発明の実施の形態について図面を参照しながら説明する。
【００５０】
（実施の形態１）
図１から図９を用いて本実施の形態１による電気集塵装置について説明をおこなう。
【００５１】
図１は本発明の実施の形態による電気集塵装置の概略図で、風の流れを示した図、図２は同装置のイオン化部の斜視図、図３は同装置のイオン化部の回路図、図４は同装置のイオン化部の展開図、図５は同装置の帯電放電極板の斜視図、図６は同装置の電極板固定端部の折り曲げによる固定状態を示す部分詳細図、図７は同装置の電極板固定端部を折り曲げて電極バーに固定した状態を示す部分平面図、図８は同装置の欠き込み部を設けた電極板固定端部の詳細図、図９は同装置の帯電放電極板の電極バーと支持シャフトへの接続状態を示す部分斜視図である。
【００５２】
電気集塵装置１は、処理する空気に対して上流側のイオン化部２と下流側の集塵部３で構成されている。イオン化部２は、両端に枠４を設け、その間にスペーサー９を挟むことで複数枚の帯電接地極板１０を所定の間隔をあけて並設されており、これらを串刺し状にする形で両端にネジを切ったシャフト７を貫通させ、このシャフト７の両端のネジにナット８を締め付けることで両端の枠４で帯電接地極板１０群とスペーサー９群を挟んで固定され、電気的にも導通されている。また、イオン化部２の上下には、左右の枠４や帯電接地極板１０に接触させない形で貫通させて設けた給電バー６を設けている。このイオン化部２上下の給電バー６は、枠４内で絶縁碍子５によって枠４と絶縁されたバー保持金具１３によって接続されており、帯電接地極板１０間の中心になる位置に帯電接地極板１０と平行に給電バー固定溝１７を設けている。この給電バー固定溝１７の開口側には、立ち上げ部１８をイオン化部２の外側に向けて立ち上げ部１８を設けている。一方、イオン化部２の中央には、左右の枠４や帯電接地極板１０に接触させない形で貫通させて設けた中間保持バー１４を設けている。この中間保持バー１４は、枠４内でバー保持金具１３に接続されており、帯電接地極板１０間の中心になる位置に帯電接地極板１０と平行な中間保持バー固定溝２０を設けている。さらに、帯電接地極板１０の間には、欠き込み部１９を有した電極板固定端部１２と、外周にトゲ状の放電電極１６Ａを有した帯電放電極板１１Ａが配置されている。なお、電極板固定端部１２には、給電バー固定溝１７の角部に接する部分に丸または半円形状の欠き込み部１９を設けている。
【００５３】
また、帯電放電極板１１Ａは給電バー６の給電バー固定溝１７と中間保持バー１４の中間保持バー固定溝２０に挿入することで、帯電接地極板１０の中心になるように位置決めができ、その後上下端部の電極板固定端部１２を約９０度に折り曲げることで固定される。したがって、帯電放電極板１１Ａと給電バー６、中間保持バー１４、バー保持金具１３は電気的に導通されており、バー保持金具１３には片側がアースに接続された高電圧発生装置１５を接続した構成となっている。
【００５４】
上記構成により、イオン化部２を設けた側を風上側として、粉塵等を含んだ汚染空気を流入させるが、その動力としては電気集塵装置１の風下側に設けた送風機などにより吸引する方式をとると、送風機の汚れ等を考えると最も良い方法であると言える。そして高電圧発生装置１５に電気を供給すると、バー保持金具１３とアース間に高電圧が発生し、バー保持金具１３に印加され、給電バー６と中間保持バー１４から帯電放電極板１１Ａに給電される。これにより、帯電放電極板１１Ａと帯電接地極板１０の間で発生するコロナ放電によって電荷が与えられ、汚染空気の粉塵等に帯電される。帯電された粉塵等は集塵部３内に流入し、クーロン力によって捕集される。しかしながら、長期間使用していると、帯電放電極板１１Ａのトゲ状の放電電極１６Ａ先端がコロナ放電によって溶けて丸くなり、放電電流が低下し集塵性能が低下することが考えられる。この場合でも２ヵ所の電極板固定端部１２の折り曲げを真っ直ぐに戻すことにより、給電バー６の給電バー固定溝１７や中間保持バー１４の中間保持バー固定溝２０から外れ、帯電放電極板１１Ａを取り外すことができる。逆に新品の帯電放電極板１１Ａを取り付ける場合は、２ヵ所の電極板固定端部１２を給電バー６の給電バー固定溝１７に挿入するとともに、中間保持バー１４の中間保持バー固定溝２０に帯電放電極板１１Ａ中央付近を挿入することで帯電接地極板１０間の中心にくるように位置決めができる。その後、上下端部の電極板固定端部１２を約９０度に折り曲げると、この電極板固定端部１２が給電バー６の立ち上げ部１８に当たるため給電バー固定溝１７から外れなくなる。このとき、電極板固定端部１２は給電バー固定溝１７の角部を支点にして折り曲げるが、電極板固定端部１２の給電バー固定溝１７の角部に接する部分に折り曲がる弱い部分を作ることにより、任意の場所で折り曲げることができるだけでなく、部品の公差やバラつきによって多少給電バー固定溝１７の支点と折り曲がり位置がずれた場合でも、丸または半円形状の範囲内で折り曲がり位置を調整することができる構成となっている。
【００５５】
（実施の形態２）
図１０を用いて本実施の形態２による電気集塵装置について説明をおこなう。
【００５６】
図１０は同装置の帯電放電極板の電極バーと中間保持バー・支持シャフトへの接続状態を示す部分斜視図であり、実施の形態１と同じ部分については同一の符号を用い、それらについての説明を省略する。
【００５７】
実施の形態２は実施の形態１に対して図１０に示すように、イオン化部２の上部には、給電バー６を設け、下部には、左右の枠４や帯電接地極板１０に接触させない形で貫通させて設けた支持シャフト２２を設け、この給電バー６と支持シャフト２２は、枠４内で絶縁碍子５によって枠４と絶縁されたバー保持金具１３によって接続されている。また、支持シャフト２２には、帯電接地極板１０間の中心になる位置に帯電接地極板１０と平行な溝状の引っ掛け部２１を設けている。
【００５８】
さらに、帯電接地極板１０の間には、上部に電極板固定端部１２、下部に鍵状の引っ掛かり溝２３を設け、外周にトゲ状の放電電極１６Ａを有した帯電放電極板１１Ｂが配置されている構成となっている。
【００５９】
上記構成により、長期間使用により帯電放電極板１１Ａのトゲ状の放電電極１６Ａ先端がコロナ放電によって溶けて丸くなり、帯電放電極板１１Ａの交換が必要になった場合、帯電放電極板１１Ａ上部の電極板固定端部１２の折り曲げを真っ直ぐに戻すと、帯電放電極板１１Ａが給電バー６の給電バー固定溝１７から電極板固定端部１２が外れるとともに、中間保持バー１４の中間保持バー固定溝２０から外れ、最後に支持シャフト２２に引っ掛かっている引っ掛かり溝２３を支持シャフト２２の引っ掛け部２１から外すことで帯電放電極板１１Ｂを完全に取り外すことができる。
【００６０】
逆に新品の帯電放電極板１１Ｂを取り付ける場合は、まず支持シャフト２２の引っ掛け部２１に帯電放電極板１１Ｂの引っ掛かり溝２３を引っ掛け、次に反対側の電極板固定端部１２を給電バー６の給電バー固定溝１７に挿入するとともに、中間保持バー１４の中間保持バー固定溝２０に帯電放電極板１１Ｂ中央付近を挿入することで帯電接地極板１０間の中心にくるように位置決めができる。その後、電極板固定端部１２を約９０度に折り曲げると、この電極板固定端部１２が給電バー６の立ち上げ部１８に当たるため給電バー固定溝１７から外れなくなる。
【００６１】
（実施の形態３）
図１１から図１４を用いて本実施の形態３による電気集塵装置について説明をおこなう。
【００６２】
図１１は同装置の帯電放電極板に補強ビードを設けた状態を示す斜視図、図１２は同装置の帯電放電極板に設けた補強ビードの部分横断面図、図１３は同装置の帯電放電極板に絞り方向の異なる補強ビードを設けた状態を示す斜視図、図１４は同装置の帯電放電極板に設けた絞り方向の異なる補強ビードの部分横断面図であり、実施の形態１と同じ部分については同一の符号を用い、それらについての説明を省略する。
【００６３】
実施の形態３は実施の形態１に対して図１１および図１２のように、帯電放電極板１１Ｃの長手方向に補強ビード２４Ａを設けた構成となっている。また、あるいは図１３および図１４のように、帯電放電極板１１Ｄの長手方向に断面Ｓ字形状あるいは絞り方向の異なる補強ビード２４Ｂとした構成となっている。
【００６４】
上記構成により、帯電放電極板１１Ｃの長手方向の強度が増すため、質量を増やすことなく処理風速による帯電放電極板１１Ｃの長手方向の振動・変形を抑えられる。また、この補強ビード２４Ａを断面Ｓ字形状あるいは絞り方向の異なる補強ビード２４Ｂとすることにより、お互いの加工時の反り方向を打ち消しあうため全体の反りを最小限にできることとなる。
【００６５】
（実施の形態４）
図１５および図１６を用いて本実施の形態４による電気集塵装置について説明をおこなう。
【００６６】
図１５は同装置の放電極部を刃物形状とした状態を示す斜視図、図１６は同装置の放電極部を刃物形状とした状態を示す部分横断面図であり、実施の形態１と同じ部分については同一の符号を用い、それらについての説明を省略する。
【００６７】
実施の形態４は実施の形態１に対して、帯電放電極板１１Ｅの放電極部１６Ｂ形状を刃物形状とした構成となっている。
【００６８】
上記構成により、帯電放電極板１１Ｅの放電極部１６Ｂ形状を刃物状とすることで先端を放電線のように細くでき、放電線と同様の線状にコロナ放電させることができるため、放電の集中を抑えられることで放電極部１６Ｂの先端が丸くなり難くなり、メンテナンスを減らすことができることとなる。
【００６９】
（実施の形態５）
図１７を用いて本実施の形態５による電気集塵装置について説明をおこなう。
【００７０】
図１７は同装置の放電極部を帯電放電極板の内側のみに設けた状態を示す斜視図であり、実施の形態１と同じ部分については同一の符号を用い、それらについての説明を省略する。
【００７１】
実施の形態５は実施の形態１に対して図１７に示すように、帯電放電極板に設けたトゲ状の放電極部を内側のみに設けた構成となっている。
【００７２】
上記構成により、トゲ状の放電極部１６Ｃを帯電性放電極板１１Ｆの外周ではなく内側に設けることで、帯電性放電極板１１Ｆを交換する際、トゲが当たることによる帯電接地極板１０への損傷や作業者の怪我を防ぐこととなる。
【産業上の利用可能性】
【００７３】
本発明の電気集塵装置は、コロナ放電によって粉塵に電荷を与えて帯電させ、帯電した粉塵をクーロン力によって捕集する電気集塵機に適用でき、特に家庭用や業務用では空気清浄機や分煙機器、産業用ではトンネル換気用集塵装置やオイルミスト除去装置などにおいても利用可能である。
【図面の簡単な説明】
【００７４】
【図１】本発明の実施の形態による電気集塵装置の概略図で、風の流れを示した図
【図２】同装置のイオン化部の斜視図
【図３】同装置のイオン化部の回路図
【図４】同装置のイオン化部の展開図
【図５】同装置の帯電放電極板の斜視図
【図６】同装置の電極板固定端部の折り曲げによる固定状態を示す部分詳細図
【図７】同装置の電極板固定端部を折り曲げて電極バーに固定した状態を示す部分平面図
【図８】同装置の欠き込み部を設けた電極板固定端部の詳細図
【図９】同装置の帯電放電極板の電極バーと支持シャフトへの接続状態を示す部分斜視図
【図１０】同装置の帯電放電極板の電極バーと中間保持バー・支持シャフトへの接続状態を示す部分斜視図
【図１１】同装置の帯電放電極板に補強ビードを設けた状態を示す斜視図
【図１２】同装置の帯電放電極板に設けた補強ビードの部分横断面図
【図１３】同装置の帯電放電極板に絞り方向の異なる補強ビードを設けた状態を示す斜視図
【図１４】同装置の帯電放電極板に設けた絞り方向の異なる補強ビードの部分横断面図
【図１５】同装置の放電極部を刃物形状とした状態を示す斜視図
【図１６】同装置の放電極部を刃物形状とした状態を示す部分横断面図
【図１７】同装置の放電極部を帯電放電極板の内側のみに設けた状態を示す斜視図
【符号の説明】
【００７５】
１      電気集塵装置
２      イオン化部
３      集塵部
６      給電バー
１０    帯電接地極板
１１Ａ  帯電放電極板
１２    電極板固定端部
１４    中間保持バー
１７    給電バー固定溝
１６Ｂ  放電極部
１６Ｃ  放電極部
１８    立ち上げ部
１９    欠き込み部
２０    中間保持バー固定溝
２１    引っ掛け部
２２    支持シャフト
２３    引っ掛かり溝
２４Ａ  補強ビード
２４Ｂ  補強ビード
【図１】
2009034599.tif 000003
【図２】
2009034599.tif 000004
【図３】
2009034599.tif 000005
【図４】
2009034599.tif 000006
【図５】
2009034599.tif 000007
【図６】
2009034599.tif 000008
【図７】
2009034599.tif 000009
【図８】
2009034599.tif 000010
【図９】
2009034599.tif 000011
【図１０】
2009034599.tif 000012
【図１１】
2009034599.tif 000013
【図１２】
2009034599.tif 000014
【図１３】
2009034599.tif 000015
【図１４】
2009034599.tif 000016
【図１５】
2009034599.tif 000017
【図１６】
2009034599.tif 000018
【図１７】
2009034599.tif 000019